【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
識別子情報を特徴付けるためのコンピュータによって実施される方法であって、前記方法は、
コンテンツプロバイダから、１つまたは複数のプロセッサを使用して、各ユーザに関連付けられた複数の第１識別子を含む識別子リストを受信するステップと、
前記複数の第１識別子および前記１つまたは複数のプロセッサを使用して、前記識別子の少なくとも１つと関係する情報コレクション中の情報部分を識別するステップとを備え、
前記情報コレクションは、前記識別子に関連付けられたネットワーク・アクティビティを反映し、
前記方法は、
前記１つまたは複数のプロセッサを使用して、対応する情報部分に関連付けられた前記複数の第１識別子を含む強化された識別子リストを生成するステップと、
前記１つまたは複数のプロセッサを使用して、前記情報部分の少なくとも１つを、識別子分類のために定められた第１カテゴリに対応するものとして識別するステップとを備え、複数の相互関係標識がコンテンツ配信システムにおいて予め定義されており、前記コンテンツ配信システムは複数のカテゴリも定義しており、前記相互関係標識のそれぞれは、少なくとも２つのカテゴリを互いに関連付けかつ前記少なくとも２つのカテゴリの一方における識別子が前記少なくとも２つのカテゴリの別の一方にも発見される尤度を反映し、
前記方法は、
前記１つまたは複数のプロセッサを使用して、前記情報部分の少なくとも１つに関連付けられているサブセットに基づいて、前記第１カテゴリに関連するものとして前記複数の第１識別子のサブセットを識別するステップと、
前記１つまたは複数のプロセッサを使用して、識別子分類のために定められかつ複数の第２識別子を含む別の識別子リストと関連付けられている第２カテゴリを識別するステップと、
前記１つまたは複数のプロセッサを使用して、前記複数の第１識別子のサブセットのうち幾つが前記複数の第２識別子にも含まれるか、および複数の第２ユーザ識別子のうち幾つが前記複数の第１識別子のサブセットにも含まれるかを判定するステップと、
前記コンテンツ配信システムにおいて、前記判定に基づいて、前記第１カテゴリを前記第２カテゴリと関連付ける前記相互関係標識の少なくとも１つに関する動作を行うステップと
を備えるコンピュータによって実施される方法。
【請求項２】
特定のユーザ名、および特定のインターネット・プロトコル・アドレスのうち少なくとも１つと前記複数の第１識別子との関連付けを断つように前記強化された識別子リストを変更するステップをさらに備える請求項１に記載のコンピュータによって実施される方法。
【請求項３】
特定のユーザ関心情報、および特定のユーザ・ブラウザ履歴のうち少なくとも１つと前記複数の第１識別子との関連付けを断つように前記強化された識別子リストを変更するステップをさらに備える請求項２に記載のコンピュータによって実施される方法。
【請求項４】
受信された前記複数の第１識別子の送信元である前記コンテンツプロバイダに前記強化された識別子リストを提供するステップをさらに備え、前記強化された識別子リストは、前記複数の第１識別子のサブセットを含みかつ前記サブセットが前記第１カテゴリに関連付けられていることを示す、請求項１に記載のコンピュータによって実施される方法。
【請求項５】
前記識別子リストと前記別の識別子リストとの間の重複の量が少なくともしきい値レベルであると判定すると、前記第２カテゴリを前記第１カテゴリに関する相互関係標識と関連付けるステップを備える前記動作を行う、請求項１に記載のコンピュータによって実施される方法。
【請求項６】
特定のユーザ関心情報、特定のユーザ・ブラウザ履歴、および特定のユーザ名のうち少なくとも１つと前記複数の第２識別子との関連付けを断つように前記別の識別子リストを変更するステップをさらに備える請求項１に記載のコンピュータによって実施される方法。
【請求項７】
実行されるようにスケジューリングされた前記第１カテゴリと関係するコンテンツ配信を識別するステップと、
前記第２カテゴリを、前記相互関係標識を使用してカテゴリに関連するものとして識別するステップと、
前記相互関係標識に基づいて、少なくとも前記第２カテゴリに関連付けられた識別子に向けて前記コンテンツ配信を実行するステップと、
をさらに備える請求項１に記載のコンピュータによって実施される方法。
【請求項８】
前記識別子リストと前記別の識別子リストとの間の重複の量がしきい値レベル未満であると判定すると、前記相互関係標識に関連して前記判定を記録するステップを備える前記動作を行う、請求項１に記載のコンピュータによって実施される方法。
【請求項９】
少なくとも前記判定に基づいて、前記相互関係標識を除去するかどうかを判定するステップをさらに備える請求項８に記載のコンピュータによって実施される方法。
【請求項１０】
前記識別子リストと前記別の識別子リストとの間の重複の量が少なくともしきい値レベルであると判定すると、前記判定に基づいて、前記相互関係標識に関する検証メッセージを生成するステップを備える前記動作を行う、請求項１に記載のコンピュータによって実施される方法。
【請求項１１】
前記識別子リストは、前記複数の第１識別子を基本的に備えるとともに、前記情報部分は、前記情報コレクション中の識別子を使用して識別される、請求項１に記載のコンピュータによって実施される方法。
【請求項１２】
各識別子に関するイベント発生を検出すると、コンテンツプロバイダが、前記複数の第１識別子を含む識別子リストを生成する、請求項１に記載のコンピュータによって実施される方法。
【請求項１３】
前記イベント発生は、前記コンテンツプロバイダによって管理されるリソースに、前記各識別子を使用してアクセスされることを含む、請求項１２に記載のコンピュータによって実施される方法。
【請求項１４】
前記方法は、前記複数の第１識別子のそれぞれに関して、前記情報コレクション中のプレイベント履歴を識別するステップをさらに備え、前記プレイベント履歴は、前記情報部分の少なくとも１つを含みかつ各識別子に関するイベント発生より前の時点と関係し、
前記方法は、前記プレイベント履歴の少なくとも１つに関して、前記イベント発生につながるユーザ行動の履歴パターンを検出するステップをさらに備える請求項１２に記載のコンピュータによって実施される方法。
【請求項１５】
前記方法は、前記複数の第１識別子に追加される潜在的な候補として別の識別子を識別するステップをさらに備え、前記別の識別子は、前記履歴パターンを使用して前記情報コレクションを検索することによって識別される、請求項１４に記載のコンピュータによって実施される方法。
【請求項１６】
有形のコンピュータ可読記憶媒体において具現化されかつプロセッサによって命令が実行されるとユーザ固有のコンテンツ提示のための方法を実行するための命令を備えるコンピュータプログラム製品であって、
前記方法は、
コンテンツプロバイダから、１つまたは複数のプロセッサを使用して、各ユーザに関連付けられた複数の第１識別子を含む識別子リストを受信するステップと、
前記複数の第１識別子および前記１つまたは複数のプロセッサを使用して、前記識別子の少なくとも１つと関係する情報コレクション中の情報部分を識別するステップとを備え、
前記情報コレクションは、前記識別子に関連付けられたネットワーク・アクティビティを反映し、
前記方法は、
前記１つまたは複数のプロセッサを使用して、対応する情報部分に関連付けられた前記複数の第１識別子を含む強化された識別子リストを生成するステップと、
前記１つまたは複数のプロセッサを使用して、前記情報部分の少なくとも１つを、識別子分類のために定められた第１カテゴリに対応するものとして識別するステップとを備え、複数の相互関係標識がコンテンツ配信システムにおいて予め定義されており、前記コンテンツ配信システムは複数のカテゴリも定義しており、前記相互関係標識のそれぞれは、少なくとも２つのカテゴリを互いに関連付けかつ前記少なくとも２つのカテゴリの一方における識別子が、前記少なくとも２つのカテゴリの別の一方にも発見される尤度を反映し、
前記方法は、
前記１つまたは複数のプロセッサを使用して、前記情報部分の少なくとも１つに関連付けられているサブセットに基づいて、前記第１カテゴリに関連するものとして前記複数の第１識別子のサブセットを識別するステップと、
前記１つまたは複数のプロセッサを使用して、識別子分類のために定められかつ複数の第２識別子を含む別の識別子リストと関連付けられている第２カテゴリを識別するステップと、
前記１つまたは複数のプロセッサを使用して、前記複数の第１識別子のサブセットのうち幾つが前記複数の第２識別子にも含まれるか、および複数の第２ユーザ識別子のうち幾つが前記複数の第１識別子のサブセットにも含まれるかを判定するステップと、
前記コンテンツ配信システムにおいて、前記判定に基づいて、前記第１カテゴリを前記第２カテゴリと関連付ける前記相互関係標識の少なくとも１つに関する動作を行うステップと
を備える、コンピュータプログラム製品。
【請求項１７】
有形のコンピュータ可読記憶媒体において具現化されたコンピュータプログラム製品であって、前記コンピュータプログラム製品は、命令が実行されると、ユーザ情報を特徴付けるためのグラフィカル・ユーザ・インタフェースを表示装置上に生成するための命令を含み、前記グラフィカル・ユーザ・インタフェースは、
各個人に対する複数の第１識別子を含む識別子リストをユーザがサブミットするための識別子領域と、
前記識別子に関連付けられた複数の属性のいずれかの選択を前記ユーザが入力するための属性領域とを備え、前記属性は、前記複数の第１識別子を使用して情報コレクションから得られ、前記情報コレクションは、前記個人によるネットワーク・アクティビティを反映し、選択された属性に関連付けられた前記識別子の識別子コレクションが前記選択に応答して生成され、前記情報部分の少なくとも１つは、識別子分類のために定められた第１カテゴリに対応するものとして識別され、複数の相互関係標識がコンテンツ配信システムにおいて予め定義されており、前記コンテンツ配信システムは複数のカテゴリも定義しており、前記相互関係標識のそれぞれは、少なくとも２つのカテゴリを互いに関連付けかつ前記少なくとも２つのカテゴリの一方における識別子が、前記少なくとも２つのカテゴリの別の一方にも発見される尤度を反映し、前記複数の第１識別子のサブセットは、前記情報部分の少なくとも１つに関連付けられている前記サブセットに基づいて、前記第１カテゴリに関連するものとして識別され、識別子分類のために定められかつ複数の第２識別子を含む別の識別子リストと関連付けられている第２カテゴリが識別され、前記複数の第１識別子のサブセットのうち幾つが前記複数の第２識別子にも含まれるか、および複数の第２ユーザ識別子のうち幾つが前記複数の第１識別子のサブセットにも含まれるかの判定が行われるとともに、前記判定に基づいて、前記第１カテゴリを前記第２カテゴリと関連付ける前記相互関係標識の少なくとも１つに関して動作が前記コンテンツ配信システムにおいて行われる、コンピュータプログラム製品。
【請求項１８】
前記複数の第１識別子は、前記複数の第１識別子を基本的に備える識別子リスト中に含まれるとともに、前記情報部分は、前記情報コレクション中の識別子を使用して識別される、請求項１７に記載のコンピュータプログラム製品。
【請求項１９】
前記ユーザは、受信された前記複数の第１識別子の送信元であるコンテンツプロバイダであるとともに、前記グラフィカル・ユーザ・インタフェースは、前記複数の第１識別子のサブセットを含みかつ前記サブセットが前記第１カテゴリに関連付けられていることを示す強化された識別子リストを使用してコンテンツ配信を開始するように構成されたコンテンツ配信領域をさらに含む、請求項１７に記載のコンピュータプログラム製品。
【請求項２０】
前記グラフィカル・ユーザ・インタフェースは、前記コンテンツプロバイダが別のコンテンツプロバイダと前記識別子リストを共有するための共有機能をさらに含む、請求項１９に記載のコンピュータプログラム製品。